(57)【要約】【課題】簡単な構造で、トイレットペーパーを繰り出しやすいトイレットペーパーホルダーの提供を目的とするものである。【解決手段】本考案のトイレットペーパーホルダーは、ロール状のトイレットペーパーを回転可能に保持するペーパー保持部と、ペーパー保持部に上方に開閉可能に支承され、保持されたトイレットペーパーの上方を覆うカバー部と、カバー部に貫設され、指を挿入可能に形成される開口部とを備える。開口部は、トイレットペーパーの筒部に挿入する軸部を基準として斜め上方４５°以上の位置に設けらていれる。開口部の長さ及び幅としては２ｃｍ以上５ｃｍ以下が好ましい。【選択図】図１
0003140296.tif 000002
【実用新案登録請求の範囲】
【請求項１】
ロール状のトイレットペーパーを回転可能に保持するペーパー保持部と、
このペーパー保持部に上方に開閉可能に支承され、保持されたトイレットペーパーの上方を覆うカバー部と、
このカバー部に貫設され、指を挿入可能に形成される開口部と
を備えるトイレットペーパーホルダー。
【請求項２】
上記ペーパー保持部が、壁面に固定されるブラケットと、トイレットペーパーの筒部に挿入する軸部と、ブラケットの左右に突設され、軸部の両端を回転可能に支持する一対の支持部とを備えており、
上記カバー部が、ブラケットの上縁近傍に支承されている請求項１に記載のトイレットペーパーホルダー。
【請求項３】
上記開口部の長さが２ｃｍ以上５ｃｍ以下で、開口部の幅が２ｃｍ以上５ｃｍ以下である請求項１又は請求項２に記載のトイレットペーパーホルダー。
【請求項４】
上記開口部が略正方形である請求項１、請求項２又は請求項３に記載のトイレットペーパーホルダー。
【請求項５】
上記開口部が、軸部を基準として仰角４５°以上の位置に配設されている請求項１から請求項４のいずれか１項に記載のトイレットペーパーホルダー。
【考案の詳細な説明】
【技術分野】
【０００１】
本考案は、トイレットペーパーホルダーに関するものである。
【背景技術】
【０００２】
従来のトイレットペーパーホルダーは、トイレットペーパーを覆うカバーの下縁部でトイレットペーパーを切断するため、トイレットペーパーの先端がカバーに隠れてしまい、次回の使用時にトイレットペーパーを繰り出しにくいという不都合がある。
【０００３】
次の使用時に繰り出しやすいよう、トイレットペーパーの先端を余分に繰り出して三角に折っておくという方法もあるが、手間がかかるうえ、三角に折るのが他人となる可能性が高い公共のトイレなどでは非衛生的な印象もあって普及していない。
【０００４】
この問題を解決する考案に、特許文献１に示すようなトイレットペーパーホルダーが開発されている。このトイレットペーパーホルダーは、トイレットペーパーの収容部から離れた位置に切断刃を設け、収容部の前面上部にトイレットペーパーを引き出すガイド部材を設けている。したがって、ガイド部材を通して引き出されたトイレットペーパーを切断刃で切断すると、トイレットペーパーの先端は、ガイド部材と切断刃の間に垂れるので、収容部に隠れてしまうことはない。
【特許文献１】特開２００６−３１４７６４
【考案の開示】
【考案が解決しようとする課題】
【０００５】
上記特許文献１の考案に係るトイレットペーパーホルダーは、構成が複雑であるうえ、トイレットペーパーを取り替えるたびに、ペーパーの先端をガイド部材から引き出さねばならないという不便を強いられる。
【０００６】
本考案はこれらの不都合に鑑みてなされたものであり、簡単な構造で、トイレットペーパーを繰り出しやすいトイレットペーパーホルダーの提供を目的とするものである。
【課題を解決するための手段】
【０００７】
上記課題を解決するためになされた考案は、
ロール状のトイレットペーパーを回転可能に保持するペーパー保持部と、
このペーパー保持部に上方に開閉可能に支承され、保持されたトイレットペーパーの上方を覆うカバー部と、
このカバー部に貫設され、指を挿入可能に形成される開口部と
を備えるトイレットペーパーホルダーである。
【０００８】
このトイレットペーパーホルダーによれば、開口部から指を差し込んで、ペーパー保持部に収容されたトイレットペーパーを回転させることができるので、トイレットペーパーの先端をカバー部から容易に繰り出せる。また、当該トイレットペーパーホルダーは、上述のようにトイレットペーパーを触って繰り出すのが使用する本人であるため、衛生的な不快感もない。
【０００９】
当該トイレットペーパーホルダーは、上記ペーパー保持部が、壁面に固定されるブラケットと、トイレットペーパーの筒部に挿入する軸部と、ブラケットの左右に突設され、軸部の両端を回転可能に支持する一対の支持部とを備えており、上記カバー部が、ブラケットの上縁近傍に支承されるとよい。
【００１０】
当該手段によれば、トイレットペーパーの筒部に挿入した軸部が回転可能であるため、小さな力でもトイレットペーパーを回転させやすいという利点がある。また、従来の一般的なトイレットペーパーホルダーと比べて特別な構成要素を必要とせず、カバー部に開口部を設けるだけでよいため、安価に製造できる。
【００１１】
上記開口部の長さ（装着されるトイレットペーパーの周方向と平行方向の長さ）としては、２ｃｍ以上５ｃｍ以下が好ましい。開口部の長さが２ｃｍより短いと、トイレットペーパーを繰り出すのに何度も指を置き換えてトイレットペーパーを回転させる必要が生じてわずらわしく、また５ｃｍより長いとカバー部の強度が低下するおそれがあるため、このように開口部の長さは上記範囲が好ましい。
【００１２】
また、上記開口部の幅（装着されるトイレットペーパーの軸方向と平行方向の長さ）としては、２ｃｍ以上５ｃｍ以下が好ましい。開口部の幅が２ｃｍ以上あると、指を２本以上差し入れてトイレットペーパーを回転させることができ、安定したトイレットペーパーの回転、すなわちトイレットペーパーの先端の吐出が可能になる。また、カバー部の強度を保持するため、開口部の幅は５ｃｍ以下が好ましい。
【００１３】
このような開口部の長さと幅の限定から、当該トイレットペーパーホルダーの開口部の形状としては、略正方形であることが特に好ましい。
【００１４】
当該トイレットペーパーホルダーは、上記開口部が、軸部を基準として仰角４５°以上の位置に配設されるとよい。通常トイレットペーパーは軸部にゆとり（遊び）をもって取り付けられている。したがって、トイレットペーパーを前方から押圧すると後ろへ逃げてしまうので、繰り出し操作が困難になる。開口部の位置を軸部を基準として仰角（斜め上方に）４５°以上とすることで、トイレットペーパーの指による押圧が確実になり、繰り出し操作が容易かつ確実になる。
【考案の効果】
【００１５】
以上説明したように、本考案のトイレットペーパーホルダーは、製造上の負担を抑制しつつ、トイレットペーパーの繰り出し操作が容易で、トイレットペーパーを衛生的かつ速やかに使用することができる。
【考案を実施するための最良の形態】
【００１６】
以下、適宜図面を参照しつつ本考案の実施の形態を詳説する。図１は本考案の一実施形態に係るトイレットペーパーホルダーを示す模式的斜視図、図２はその断面図である。
【００１７】
図１のトイレットペーパーホルダー１は、ペーパー保持部２と、トイレットペーパー８の上方を覆うカバー部３と、カバー部３に貫設した開口部４とを備えている。
【００１８】
ペーパー保持部２は、トイレの壁面（図示せず）に固定するためのブラケット５と、トイレットペーパー８の筒部（図示せず）に挿入する軸部６と、ブラケット５の左右に突設し、軸部６の両端を回転可能に支持する一対の支持部７とを備えている。
【００１９】
カバー部３は、ブラケット５の上縁部に、ピン等を介して開閉可能（所定範囲で回転可能）に連結している。
【００２０】
開口部４の長さＬ（装着するトイレットペーパー８の周方向と平行方向の長さ）としては、２ｃｍ以上５ｃｍ以下が好ましく、３ｃｍ以上４ｃｍ以下が特に好ましい。開口部４の長さＬが上記下限より短いと、トイレットペーパー８を繰り出すのに何度も指を置き換えてトイレットペーパー８を回転させる必要が生じてわずらわしく、一方、開口部４の長さＬが上記上限より長いとカバー部３の強度が低下するおそれがある。
【００２１】
また、開口部４の幅Ｗ（装着するトイレットペーパー８の軸方向と平行方向の長さ）としては、２ｃｍ以上５ｃｍ以下が好ましく、３ｃｍ以上４ｃｍ以下が特に好ましい。開口部４の幅Ｗが上記下限以上あると、開口部４に指を２本以上差し入れてトイレットペーパー８を回転させることができ、安定したトイレットペーパー８の回転、すなわちトイレットペーパー８の先端の吐出が可能になる。一方、開口部４の幅Ｗが上記上限より長いとカバー部３の強度が低下するおそれがある。
【００２２】
さらに、開口部４の形状としては、特に限定されるものではなく、例えば正方形、長方形、円形、楕円形、帯状等を採用することができる。特に、開口部４の形状としては、略正方形が好ましく、開口部４の長さＬ及び幅Ｗを上記好適範囲に容易かつ確実に調整することができる。
【００２３】
開口部４の位置（中心位置）としては、当該トイレットペーパーホルダー１にトイレットペーパー８を装着した状態において、軸部６の中心軸を基準とする仰角θが４５°以上が好ましく、５０°以上が特に好ましい。このように開口部４の軸部６を基準とする位置を上記範囲とすることで、トイレットペーパー８の指による押圧、ひいてはトイレットペーパー８の繰り出し操作が容易かつ確実になり、その結果、遊びを持って取り付けられているトイレットペーパー８が後方に逃げ、繰り出し操作が困難になることを低減することができる。
【００２４】
当該トイレットペーパーホルダー１の形成材料としては、特に限定されず、例えば塩化ビニル等の合成樹脂や、鋼、銅合金等の金属材料が適宜使用される。
【００２５】
なお、本考案のトイレットペーパーホルダーは、上記実施形態に限定されるものではない。例えば、ブラケットや支持部の形状は、トイレットペーパーを回転可能に保持できるものであれば、他の形態も考えられる。
【産業上の利用可能性】
【００２６】
以上のように、本考案のトイレットペーパーホルダーは、使用の便及び衛生面で有用であり、特に不特定多数の人が使用する公衆便所に好適に使用される。
【図面の簡単な説明】
【００２７】
【図１】本考案の一実施形態に係るトイレットペーパーホルダーを示す模式的斜視図である。
【図２】図１のトイレットペーパーホルダーの断面図である。
【符号の説明】
【００２８】
１  トイレットペーパーホルダー
２  ペーパー保持部
３  カバー部
４  開口部
５  ブラケット
６  軸部
７  支持部
８  トイレットペーパー
θ  仰角
Ｌ  長さ
Ｗ  幅
【図１】
0003140296.tif 000003
【図２】
0003140296.tif 000004